(57)【要約】      （修正有）【課題】老人ホームおよびマンション、病院あるいは保育施設等の室内の壁に、引戸をスッキリと収納させる、室内戸袋に関する据付施工技術を提供する。【解決手段】板状スチールバンドを複数個取付けた戸袋本体に、同じく該バンドを複数個設けた、レールを引戸寸法分だけ残して挿入して装着する。さらに戸袋本体の最下端を、コンクリート床にアンカーボルト系のビス類で確実に固定し、戸袋本体の後部をライトゲージにビス類で確実に固定する。また予め組付けられた左右両側の鴨居枠と中方立をレールの左右に組付体としてビス類で取付けて設ける。さらに左右の該組付体の先端部に戸先枠を設け、この戸先枠と鴨居枠をビス類で固定する。この後レールの上部より、戸先枠をライトゲージにビス類で確実に固定する。最後に、レールと戸袋本体を、最上部に設けられている該バンドを調整して起こして、ビス類でライトゲージに的確に固定して、鋼製戸袋として設ける。【選択図】図１
2017198055.tif 000002
【特許請求の範囲】
【請求項１】
まず、板状スチールバンド（２）を複数個設けた、戸袋本体（１３）に板状スチールバンド（２）を複数個設けた、レール（１０）を引戸寸法分（６）だけ残して挿入して装着する、さらにこの戸袋本体（１３）の最下端を、コンクリート床に対してコンクリート系のビス類（４）で固定する、同じく戸袋本体（１３）の後部を縦ライトゲージ（８）に、ビス類（４）で固定する、また次に鴨居枠（１４）と中方立（１２）をビス類（４）で組付け、レール（１０）の右側組付体（１）と左側組付体（３）として設ける、そして、この鴨居枠（１４）と中方立（１２）の左右の組付体を、レール（１０）の右側と左側に、戸袋本体（１３）の出っ張りに合わせて差込んで、ビス類（４）で固定して設ける、つぎにこの左右の該組付体の先端部に、戸先枠（１１）を設け、この戸先枠（１１）と鴨居枠（１４）をビス類（４）で固定する、このあとにレール（１０）の上部より戸先枠（１１）と鴨居枠（１４）と共にビス類（４）で固定する、そしてこの次に戸先枠（１１）を縦ライトゲージ（８）に、ビス類（４）で確実に固定して設ける、最後に、このレール（１０）と戸袋本体（３）の最上部の、板状スチルバンド（２）を起こして、ビス類（４）で横ライトゲージ（７）に取付けて固定し、鋼製戸袋（５）として設ける、同時にスキマ隠し（１５）を鴨居枠（１４）に、ビス類（４）で装着固定する。
このような特徴よりなる、室内引戸収納用鋼製戸袋および施工方法。
【発明の詳細な説明】
【技術分野】
【０００１】  本発明は、室内建築の構造体として壁の躯体等に、簡単に確実に据付施工する鋼製戸袋の技術に関するものである。
【背景技術】
【０００２】  従来は、室内引戸用戸袋の据付施工工事は、建物の躯体等に溶接で固定する方法がほとんどである。
【発明が解決しようとする課題】
【０００３】  現状では、やはり鋼鉄戸袋（５）を躯体等（以後、ライトゲージと呼ぶ）に、据付ける場合は溶接で固定する方法が多い。しかし建物のライトゲージに直接に溶接するので、非常に高い技術と手間が要求される。また建付けのライトゲージの精度が悪い場合もあり、これに溶接すると、施工後の鋼鉄戸袋（５）の対角や水平等の微調整が出来ない。またさらに現状は、レール（１０）の下側からビス類（４）で該ゲージに止める施工もされているが、これは納入後の使用時には、振動により止めビスが緩んで抜け落ちる現象があり、クレームが大変多かった。
これらの問題点を改善し、今までにない有効な本発明がなされたのである。
【課題を解決するための手段】
【０００４】  本発明は出来る限りの簡単構成で形成されている。以下解決手段を説明する。
まず図１０のごとく、戸袋本体（１３）の上部に引戸寸法分（６）だけ残してレール（１０）を挿入装着して設ける。さらにこの戸袋本体（１３）の最下端を、コンクリート床にコンクリート系等のビス類（４）で確実に固定する。さらに戸袋本体（１３）の後部を縦ライトゲージ（８）に、ビス類（４）で固定して設ける。さらには、鴨居枠（１４）と中方立（１２）をビス類（４）で組付けておいたものを、図１０、図１１、図１２のごとく、右側組付体（１）と左側組付体（３）として、それぞれレール（１０）に装着して設ける。つまりここでは、鴨居枠（１４）と中方立（１２）の左右の組付体を、レール（１０）の右側と左側に戸袋本体（１３）の出っ張りに合わせて差込んで、ビス類（４）で固定して設ける。つぎにこの左右の該組付体の先端部に戸先枠（１１）を設け、この戸先枠（１１）と鴨居枠（１４）をビス類（４）で固定して設ける。つぎに図１４のごとく、レール（１０）の上部より戸先枠（１１）と鴨居枠（１４）と共に、ビス類（４）で固定して設ける。この次に図１１のごとく、戸先枠（１１）を縦ライトゲージ（８）にビス類（４）で確実に固定して設ける。最後に、このレール（１０）と戸袋本体（１３）の最上部の板状スチールバンド（２）を起こして、ビス類（４）で横ライトゲージ（７）に取付けて固定して、鋼製戸袋（５）として設ける。同時にスキマ隠し（１５）を鴨居枠（１４）に、ビス類（４）で装着する。
このような特徴よりなる、室内引戸収納用鋼製戸袋および施工方法である。
【発明の効果】
【０００５】１．ライトゲージ等への取付け作業は、ビス類をインパクトレンチで締め付けるだけだから簡単である。
２．また、ライトゲージには板状スチールバンドを概して固定するので、ライトゲージの精度が悪い際にも、対角および水平の管理が可能である。
３．ライトゲージには、レールの下側からビスを止めないので、使用時の振動でビスが緩んで抜け落ちるような現象は発生しない。従来、この種のクレームが多かった。
４．事前にスチールバンドがレールおよび戸袋本体に、取付け済みの為、荷扱いが容易である。
【発明を実施するための最良の形態】
【０００６】  まず、図１０のごとく、また図２（写真）を参考に説明すると、戸袋本体（１３）の上部に引戸寸法分（６）だけ、つまり引戸（９）一枚が入るだけ残して、レール（１０）を挿入して装着する。さらに戸袋本体（１３）の最下端を、コンクリート床にコンクリート系等のビス類（４）で確実に固定して設ける。つぎに戸袋本体（１３）後部を縦ライトゲージ（８）に、やはりビス類（４）で固定して設ける。また鴨居枠（１４）と中方立（１２）を予めビス類（４）で組付けておいたものを、図１０、図１１、および図１２にみられるように、右側組付体（１）として、また左側組付体（３）として設け、それぞれをレール（１０）に装着して設ける。つまりここでは、鴨居枠（１４）と中方立（１２）の左右の組立体を、レール（１０）の左右に取付ける際に、戸袋本体（１３）の右側と左側にある、出っ張りに合わせて差込んで、ビス類（４）で固定して設ける。さらには図１４に見られるごとく、レール（１０）の上部より、戸先枠（１１）および鴨居枠（１４）と共に、ビス類（４）でもって固定して設ける。そして図１１のように、戸先枠（１１）と縦ライトゲージを合わせて、ビス類（４）で確実に固定して設ける。最後に図１３のごとく、または図２（写真）のごとく、レール（１０）と戸袋本体（１３）の最上部に設けられた、板状スチールバンド（２）を真っ直ぐに起こしてから、ビス類（４）で、横ライトゲージ（７）に取付けて固定して、全体を鋼製戸袋（５）として設ける。またスキマ隠し（１５）を鴨居枠（１４）に、ビス類（４）で装着して設ける。
本発明は、以上のような構成であり、これを使用実施するときには、【０００７】  図３のごとく、壁工事も終わり、鋼製戸袋（５）は壁内部に設けられている。
引戸（９）も取付けられており、後は老人ホーム等の利用者が使用するだけで良い。そして、引戸（９）は開閉時には、壁内部の鋼製戸袋（５）に完全に収められ、開口部もスッキリとした美麗な状態に保たれている。
【図面の簡単な説明】
【０００８】
【図１】  本発明の施工組立斜視図である。
【図２】  本発明の現場での組付完成図（写真）である。
【図３】  本発明の現場完成後の概観説明図（写真）である。
【図４】  本発明の戸袋本体の部品図である。
【図５】  本発明のレールの部品図である。
【図６】  本発明の戸先枠の部品図である。
【図７】  本発明の中方立の部品図である。
【図８】  本発明の鴨居枠の部品図である。
【図９】  本発明のスキマ隠しの部品図である。
【図１０】  本発明の戸袋本体とレールを組付けている施工斜視図である。
【図１１】  本発明のレール組付体をライトゲージに取付けている施工斜視図である。
【図１２】  本発明の戸袋に取付けられたレールへの仕上斜視図である。
【図１３】  本発明のレール部分の組付仕上説明図である。
【図１４】  本発明のレール部組立説明図である。
【符号の説明】
【０００９】    １  右側組付体
２  板状スチールバンド
３  左側組付体
４  ビス類
５  鋼鉄戸袋
６  引戸寸法分
７  横ライトゲージ
８  縦ライトゲージ
９  引戸
１０  レール
１１  戸先枠
１２  中方立
１３  戸袋本体
１４  鴨居枠
１５  スキマ隠し
【図１】
2017198055.tif 000003
【図２】
2017198055.tif 000004
【図３】
2017198055.tif 000005
【図４】
2017198055.tif 000006
【図５】
2017198055.tif 000007
【図６】
2017198055.tif 000008
【図７】
2017198055.tif 000009
【図８】
2017198055.tif 000010
【図９】
2017198055.tif 000011
【図１０】
2017198055.tif 000012
【図１１】
2017198055.tif 000013
【図１２】
2017198055.tif 000014
【図１３】
2017198055.tif 000015
【図１４】
2017198055.tif 000016